(57)【要約】本発明は、水の流れる方向が変わっても一方方向にのみ回転して持続的な発電が可能なようにし、流れる水の水位が変わっても持続的な発電が可能なように改善された潮水力発電用タービン及びこれを利用した潮水力発電装置を提供して、自然生態系の変化を与えなくても発電が可能なようとするものである。
2017509828.tif 000002
【特許請求の範囲】
【請求項１】
タービン軸（１１）が固定される中心部材（１２）と、上記中心部材（１２）の上下部にそれぞれ対向して固定される一対の水平支持部材（１３，１３'）と、上記一対の水平支持部材（１３，１３'）の間でタービン軸（１１）を中心として円周方向に羽根支持軸（１４）が等間隔で多数固定されるようにし、上記羽根支持軸（１４）が一地点で一つ以上備えられるようになされる羽根支持軸（１４）と、上記羽根支持軸（１４）に支持されて上下方向に移動可能なようになされ、中間ヒンジ部（２２）を中心として上下方向に配置される上部羽根片（２１）と下部羽根片（２１'）が上下方向に開き折畳まれる、多数の推進羽根手段（２０）を含んでなされるようにし、上記推進羽根手段（２０）の上・下部羽根片（２１、２１'）には、それぞれ羽根支持軸（１４）が貫通する軸孔（２８）を有する移動部材（２７）を備えて垂直方向に往復移動可能にし、上記移動部材（２７）が垂直方向に移動するとき、上・下部羽根片（２１、２１'）がそれぞれ移動部材（２７）を中心として回動運動するように連結してなされるようにし；
上記上・下部羽根片（２１、２１'）にそれぞれ備えられる空間部（２１１）に挿入される移動部材（２７）の後尾にあるヒンジ軸孔（２７１）と、空間部（２１１）両側の固定部材（２１２，２１３）のヒンジ軸孔（２１４）に差し込まれるヒンジ軸（２１３）を中心として上・下部羽根片（２１、２１'）が回動するようにするか、移動部材（２７）の軸孔（２８）が羽根支持軸（１４）の直径より大きい直径を有するようにして軸孔（２８）と羽根支持軸（１４）の間に余裕（２８ａ）を有するようにするか、上・下部羽根片（２１、２１'）がそれぞれ移動部材（２７）で回動するように備えられるボール（２９）と連結されるようにして、移動部材（２７）が垂直方向に移動する過程に上・下部羽根片（２１、２１'）が回動可能なようにすることのうちいずれか一つからなるようにすることを特徴とする潮水力発電用タービン。
【請求項２】
上記移動部材（２７）が、羽根支持軸（１４）に差し込まれて設置される弾力部材（１６）によってストッパー（１５）方向に加圧されて移動することができるようになされることを特徴とする、請求項１に記載の潮水力発電用タービン。
【発明の詳細な説明】
【技術分野】
【０００１】
本発明は、潮水力発電用タービンに関するもので、さらに詳細には、水が流れる方向に関係なく回転して持続的な発電が可能で、水の上に浮遊させた状態で発電が可能なようにして、海水面の高低や川の水量に関係なく持続的に発電が可能なように改善された潮水力発電用タービン及びこれを利用した潮水力発電装置に関する。
【背景技術】
【０００２】
一般的に潮力や水力発電のためのシステムが開示されており、このような潮水力発電システムらは、自然エネルギーを利用して電気エネルギーを得ることができるので、地球環境的に非常に勧奨されているシステムであるということは既に知られている事実である。
【０００３】
したがって、先行技術文献に記載されたような多数の潮力及び水力発電装置やタービンが開示されている。
【０００４】
しかし先行技術は、必ず固定式構造物がなければならないか、または落差水圧を利用しなければならないものであるだけでなく、必ず潮流通路があってこそ発電が可能なようになっているものである。
【０００５】
ゆえに、潮流通路を備えるための固定構造物またはダムを利用した水力発電をしなければならないものであるので、自然生態系の変化を招くようになる問題点があるだけでなく、多くの施設費が投資されなければならない問題点がある。
【０００６】
特に、先行技術において潮力発電の場合には、一方方向にだけ流れる水によってのみ潮水力発電ができるものであるので、満ち潮が入ってくるときには稼動することができない問題点を伴う。
【発明の概要】
【発明が解決しようとする課題】
【０００７】
本発明は、水の流れる方向が変わっても一方方向にのみ回転して持続的な発電が可能なようにし、流れる水の水位が変わっても持続的な発電が可能なように改善された潮水力発電用タービン及びこれを利用した潮水力発電装置を提供しようとすることにその目的がある。
【０００８】
本発明の他の目的は、自然生態系の変化を与えなくても発電が可能なようにしようとすることにある。
【課題を解決するための手段】
【０００９】
本発明は、タービン軸が固定される中心部材と、上記中心部材の上下部にそれぞれ対向して固定される一対の水平支持部材と、上記一対の水平支持部材の間でタービン軸を中心として円周方向に羽根支持軸が等間隔で多数固定されるようにし、上記羽根支持軸が一地点で一つ以上備えられるようになされる羽根支持軸と、上記羽根支持軸に支持されて上下方向に移動可能なようになされ、中間ヒンジ部を中心として上下方向に配置される上部羽根片と下部羽根片が上下方向に開き折畳まれる、多数の推進羽根手段を含んでなる潮水力発電用タービンをその特徴とする。
【００１０】
上記中間ヒンジ部は、上・下部羽根片にそれぞれ多数備えられて相互一列になるようにはめ込まれるヒンジ片の軸孔にヒンジ軸が差し込まれるようにするか、上・下部羽根片の中間部が、蝶番や曲がることができる性質を有したスプリング鋼板材によって連結されるようになされることのうちいずれか一つからなるようにしたことを他の特徴とする。
【００１１】
上記中間ヒンジ部がある部分の上・下部羽根片には、一つ一つのヒンジ片の間毎に、外部にそれぞれ突出する多数の羽根広がり抑制片を備えるようになされることをまた他の特徴とする。
【００１２】
上記推進羽根手段の上・下部羽根片には、それぞれ羽根支持軸が貫通する軸孔を有する移動部材を備えて垂直方向に往復移動可能にし、上記移動部材が垂直方向に移動するとき、上・下部羽根片がそれぞれ移動部材を中心として回動運動するように連結してなされるようにし、上記移動部材が羽根支持軸の中間に備えられるストッパーに引っ掛かって移動することが停止するようになされることを他の特徴とする。
【００１３】
上記上・下部羽根片にそれぞれ備えられる空間部に挿入される移動部材の後尾にあるヒンジ軸孔と、空間部両側の固定部材のヒンジ軸孔に差し込まれるヒンジ軸を中心として上・下部羽根片が回動するようにするか、移動部材の軸孔が羽根支持軸の直径より大きい直径を有するようにして軸孔と羽根支持軸の間に余裕を有するようにするか、上・下部羽根片がそれぞれ移動部材で回動するように備えられるボールと連結されるようにして、移動部材が垂直方向に移動する過程に上・下部羽根片が回動可能なようにすることのうちのいずれか一つからなるようにすることをまた他の特徴とする。
【００１４】
上記移動部材が、羽根支持軸に差し込まれて設置される弾力部材によって、ストッパー方向に加圧されて移動することができるようになされることをまた他の特徴とする。
【００１５】
そして本発明は、第１項のようになされる一つ以上のタービンが、一つのタービン軸に垂直方向に設置されるようにし、上記タービン軸が浮具の浮力によって水面に浮上する浮遊部材を貫通して支持部材に固定される発電機に回転力が伝達されるようにして電気エネルギーが生産されるようになるようにし、上記浮遊部材は、海底面に固定される海底固定手段とワイヤによって連結されるようになされる潮水力発電用タービンを利用した潮水力発電装置を他の特徴とする。
【００１６】
上記海底固定手段は、ワイヤが連結され拡開傾斜頭部を有するボルト棒と、上記拡開傾斜頭部によって外側方向に開くために下端割れ孔の間に備えられる多数の拡開片部を備え、ボルト棒が貫通するように結合される管体と、上記管体上部でボルト棒に差し込まれる座金部材と、上記座金部材上部でボルト棒に締結されるナット部材によってなされることをまた他の特徴とする。
【発明の効果】
【００１７】
本発明は、水の流れる方向が変わっても、タービンが一方方向にのみ回転するため、水の流れが停止しない限り持続的な発電が可能になる効果があるだけでなく、水位の高低が変わっても持続的な発電が可能になる効果があるものである。
【００１８】
そして本発明は、水中に浸かるタービンが、潤滑油が必要とされるボールベアリングやメタルベアリングを全く採用しなくても回転可能となり、潤滑油が必要とされるボールベアリングやメタルベアリングが採用される他の発電装置や部品らは、水面上に浮上させた状態で発電が可能となるため、潤滑油のような油によって水が汚染されないようにしながら発電が可能なので、自然生態系の変化を与えなくても親環境的な発電が可能なようにする効果を提供するようになるのである。
【図面の簡単な説明】
【００１９】
【図１】本発明に係る潮水力発電用タービンの全体斜視図である。
【図２】本発明に係る潮水力発電用タービンの平面構成図である。
【図３】本発明に係る推進羽根手段を示した分離斜視図である。
【図４】本発明に係る推進羽根手段の結合状態を示した斜視図である。
【図５】（ａ）、（ｂ）は、本発明の上・下部羽根片と羽根支持軸に沿って移動する移動部材との連結構造を示した分離斜視図及び作用図である。
【図６】図４のＸ−Ｘ'線の断面状態で示した推進羽根手段の断面構成図である。
【図７】（ａ）、（ｂ）は、本発明に係る中間ヒンジ部の他の実施例の断面構成図である。
【図８】図６のＹ−Ｙ'線の断面状態で示した推進羽根手段の作用説明図である。
【図９】（ａ）は本発明の羽根支持軸と移動部材が結合された平断面構成図で、（ｂ）はその作用状態説明図である。
【図１０】（ａ）は本発明の移動部材と上・下部羽根片が連結された状態を示した平断面構成図で、（ｂ）はその作用状態説明図である。
【図１１】本発明のまた他の実施例の概路図である。
【図１２】本発明のタービンが採用された状態の潮水力発電装置の全体構成図である。
【図１３】（ａ）は本発明に係る潮水力発電装置の海底固定手段の断面構成図で、（ｂ）は海底固定手段の本体を示した斜視図である。
【発明を実施するための形態】
【００２０】
本発明を添付された望ましい実施図面に基づいてより詳しく説明すれば次のとおりである。
【００２１】
図１ないし図６を参照すると、本発明に係るタービン１０は、タービン軸１１が固定される中心部材１２を備え、上記中心部材１２の上下部には一対の水平支持部材１３，１３'がそれぞれ対向して固定される。
【００２２】
図６で符号１１ａは、中心部材１２の回転力をタービン軸１１に伝達するキーを示す。そして上記一対の水平支持部材１３，１３'の間には、タービン軸１１を中心として円周方向に羽根支持軸１４が等間隔で多数固定されるようにし、上記羽根支持軸１４が一地点で一つ以上備えられるように固定されるものであって、後に説明される推進羽根手段２０が組立てられた状態で、羽根支持軸１４が一対の水平支持部材１３，１３'の間に固定されるものである。
【００２３】
したがって、上記羽根支持軸１４は、望ましくは図３及び図４に示したように、水平支持部材１３，１３'の外側からタービン軸１１方向に一対が固定されて備えられるようにすることが望ましい。図３で符号１４ａは羽根支持軸１４を固定するボルトを示す。
【００２４】
本発明は羽根支持軸１４に支持されて上下方向に移動可能なようになされる推進羽根手段２０を備える。上記推進羽根手段２０は、図１及び図２に示したように、等間隔で多数設置される羽根支持軸１４にそれぞれ支持されるように設置されるものであるため、本発明のタービン１０は、円周方向に推進羽根手段２０を等間隔で多数備えるものである。
【００２５】
図３ないし図６を参照すると、本発明の推進羽根手段２０は、中間ヒンジ部２２を中心として上下方向に配置される上部羽根片２１及び下部羽根片２１'を備え、上記上・下部羽根片２１、２１'が上下方向に開き折畳まれることができるようになされる。
【００２６】
上記した上・下部羽根片２１、２１'は、板材からなっているので、板上に例えばプレス金型で帯状に加圧して形成される補強突起を多数備えるようにすれば、さらに強い状態の上・下部羽根片２１、２１'を構成させることができるものであり、このような補強構造技術は既に知られているものであるため、図面及び説明を省略することにする。
【００２７】
したがって、上・下部羽根片２１、２１'が上下方向に開き折畳まれることができるようにする中間ヒンジ部２２は、図３及び図６に示したように、上・下部羽根片２１、２１'にそれぞれ多数備えられ相互一列になるようにはめ込まれるヒンジ片２３，２３'の軸孔２３ａにヒンジ軸２５が差し込まれるようにして構成されるようにすることが望ましい。
【００２８】
しかし図７の（ａ）に示したように、上・下部羽根片２１、２１'が蝶番２６によって連結される中間ヒンジ部２２であることもでき、または図７の（ｂ）に示したように曲がることができる性質を有したスプリング鋼板材２６'によって上・下部羽根片２１、２１'が連結される中間ヒンジ部２２であることもできる。
【００２９】
そして図３を参照すると、本発明は、中間ヒンジ部２２がある部分の上・下部羽根片２１、２１'には、一つ一つのヒンジ片２３，２３'の間毎に、外部にそれぞれ突出する多数の羽根広がり抑制片２４を備えることが望ましい。
【００３０】
図３ないし図５を参照すると、本発明の推進羽根手段２０の上・下部羽根片２１、２１'には、それぞれ羽根支持軸１４が貫通する軸孔２８を有する一つ以上の移動部材２７が、連結軸２７１によって上・下部羽根片２１、２１'にそれぞれ連結されるように設置される。
【００３１】
図５の（ａ）、（ｂ）を参照すると、上・下部羽根片２１、２１'にそれぞれ形成される空間部２１１の両側で一対の固定部材２１２，２１２'がそれぞれ対向するように固定され、上記一対の固定部材２１２，２１２'の間に移動部材２７が挿入されて、ヒンジ軸２１３が一側の固定部材２１２と移動部材２７及び他側の固定部材２１２'のヒンジ軸孔２１４，２７１を貫通して連結されるようになされる。
【００３２】
そして移動部材２７の軸孔２８には羽根支持軸１４が貫通し、その羽根支持軸１４に沿って移動部材２７が上下方向に移動するようになるのである。
【００３３】
したがって、図５の（ｂ）での実線図示のように、移動部材２７が羽根支持軸１４に沿って下部方向に移動するようになると、移動部材２７は直線方向で移動するようになる過程にヒンジ軸２１３を中心として固定部材２１２，２１２'が時計方向に回動するようになるものであり、反対に移動部材２７が羽根支持軸１４に沿って仮想線図示のように上部方向に移動するようになると、移動部材２７が直線方向で移動するようになる過程にヒンジ軸２１３を中心として固定部材２１２，２１２'は逆時計方向に回動するようになることにより、移動部材２７が羽根支持軸１４に沿って上下方向に移動することができるようになりながら、上・下部羽根片２１、２１'が移動部材２７と連結される地点で回動して、上・下部羽根片２１、２１'が開き折畳まれることができるようになるのである。
【００３４】
そして上記移動部材２７は、羽根支持軸１４の中間に備えられるストッパー１５に引っ掛かって、移動することが羽根支持軸１４の中間で停止するようになされる。
【００３５】
図８を参照すると、本発明は、推進羽根手段２０の上・下部羽根片２１、２１'に水流力が全く作用しない場合には、図８での仮想線図示のように、上・下部羽根片２１、２１'が自重によって全て下に降りている状態にあるようになる。
【００３６】
この際、上部羽根片２１の移動部材２７は、ストッパー１５に引っ掛かってそれ以上は下に降りることができない状態になることにより、上・下部羽根片２１、２１'は、完全に重ならず若干開いた状態を維持するようになる。
【００３７】
一方、本発明の理解を助けるために、ヒンジ軸２５を中心として羽根広がり抑制片２４がある方向側を推進羽根手段２０の後面部、または上・下部羽根片２１、２１'の後面部と略称して名称し、ヒンジ軸２５を中心として羽根広がり抑制片２４と反対方向側を推進羽根手段２０の前面部、または上・下部羽根片２１、２１'の前面部と略称して名称して説明することにする。
【００３８】
したがって、図８に示した"Ａ"で表示された矢印方向に水が流れるようになると、その水が流れる力が上・下部羽根片２１、２１'の前面部に作用することにより、上・下部羽根片２１、２１'はヒンジ軸２５を中心として上下方向に回動しようとする状態となるが、下部羽根片２１'の移動部材２７が水平支持部材１３'に引っ掛かった状態であるので、上部羽根片２１が上部方向に回動して図８で実線で図示されたように開く状態になる。
【００３９】
この際、上部羽根片２１にある羽根広がり抑制片２４は、下部羽根片２１'に接触して引っ掛かった状態になると共に、下部羽根片２１'にある羽根広がり抑制片２４は、上部羽根片２１に接触して引っ掛かった状態になることにより、上・下部羽根片２１、２１'は、それ以上開かないように抑制されるものであるだけでなく、開いた状態の上・下部羽根片２１、２１'に強い水流力が作用しても、上・下部羽根片２１、２１'が折れないように支える支持力を有するようにするのである。
【００４０】
したがって、水流力によって、図８の実線図示のように上・下部羽根片２１、２１'が開く状態になると、その水流力（潮水力）が羽根支持軸１４を介して水平支持部材１３，１３'に伝達されてタービン１０が回転するようになるのである。
【００４１】
そして水流力によって、図８の実線図示のように上・下部羽根片２１、２１'が開いた状態で、図８で“Ｂ”で表示された矢印方向である上・下部羽根片２１、２１'の後面部の方に水が流れるようになると、その水流力が上・下部羽根片２１、２１'の後面部に作用するに伴い、上部羽根片２１が下部方向に下がるように移動する状態になるので、上・下部羽根片２１、２１'が開いた状態であるときよりも、相対的に非常に微弱な水流力が作用する状態になるのである。
【００４２】
一方、本発明の理解を助けるため、図８での実線図示のように、上・下部羽根片２１、２１'が開くように動作することを推進羽根手段２０の展開動作、または上・下部羽根片２１、２１'の展開動作と略称して名称し、反対に図６で仮想線図示のように、上・下部羽根片２１、２１'が閉じるように動作することを推進羽根手段２０の折畳動作、または上・下部羽根片２１、２１'の折畳動作と略称して名称して説明することにする。
【００４３】
したがって、図２で符号Ｈｗと表示された矢印のように、タービン１０の右側から左側方向に水が流れるようになることを満ち潮状態Ｈｗとし、反対に符号Ｌｗで表示された矢印のようにタービン１０の左側から右側方向に水が流れるようになることを引潮状態Ｌｗと仮定して、満ち潮と引潮の際の本発明に係るタービン１０の作用を説明すれば次のとおりである。
【００４４】
すなわち、図２で満ち潮状態Ｈｗであるときには、多数の推進羽根手段２０のうちで、符号２０ａ〜２０ｄで表示された、水平中心線Ｓの下側に位置する個別状の推進羽根手段２０らの前面部に水流力が作用することにより、その上・下部羽根片２１、２１'が展開動作をするようになり、水平中心線Ｓの上側に位置し、符号２０ｅ〜２０ｈで表示された個別状の推進羽根手段２０らは、その上・下部羽根片２１、２１'の後面部に水流力が作用することにより折畳動作をするようになる。
【００４５】
ゆえに、水平中心線Ｓの上側の符号２０ｅ〜２０ｈで表示された個別状の推進羽根手段２０らが、折畳動作をするときに受けるようになる水流力より、水平中心線Ｓの下側の符号２０ａ〜２０ｄで表示された個別状の推進羽根手段２０らが展開動作をするときに受けるようになる水流力の方がずっとより強いので、タービン１０は、図２で時計方向に回転するようになる推進力を有するようになる。
【００４６】
一方、図２で引潮状態Ｌｗであるときには、多数の推進羽根手段２０のうちで、水平中心線Ｓの下側に位置する、符号２０ａ〜２０ｄで表示された個別状の推進羽根手段２０らは、後面部に水流力が作用することにより、その上・下部羽根片２１、２１'が折畳動作をするようになり、反対に水平中心線Ｓの上側に位置する、符号２０ｅ〜２０ｈで表示された個別状の推進羽根手段２０らは、その上・下部羽根片２１、２１'の前面部に水流力が作用することにより展開動作をするようになる。
【００４７】
ゆえに、水平中心線Ｓの下側の符号２０ｅ〜２０ｈで表示された個別状の推進羽根手段２０らが、折畳動作をするときに受けるようになる水流力より、水平中心線Ｓの上側の符号２０ｅ〜２０ｈで表示された個別状の推進羽根手段２０らが展開動作をするときに受けるようになる水流力の方がずっとより強いので、タービン１０は、図２で時計方向に回転するようになる推進力を有するようになる。
【００４８】
すなわち、本発明は、満ち潮状態Ｈｗか引潮状態Ｌｗであるかを問わず、一方方向にのみタービン１０が回転する推進力を得るようになるものであり、これはすなわち、水の流れの方向に関係なく水が流れる場所ではどんな場所でもタービン１０が回転して推進力を得ることができるというものである。
【００４９】
したがって、上記のように動作する本発明のタービン１０は、それぞれの上・下部羽根片２１、２１'に移動部材２７が採用される場合には、図９の（ａ）に示したように、移動部材２７の軸孔２８が羽根支持軸１４の直径より大きい直径を有するようにして、軸孔２８と羽根支持軸１４の間に余裕２８ａを有するようにすることにより、図９の（ｂ）に示したように、上・下部羽根片２１、２１'が展開動作や折畳動作をする際、移動部材２７が左右方向に動くようになり、上・下部羽根片２１、２１'が良好に展開及び折畳動作ができるようにすることもできる。
【００５０】
また、図１０の（ａ）に示すように、それぞれの上・下部羽根片２１、２１'が移動部材２７で回動するように備えられるボール２９と連結されるようにして、図１０の（ｂ）に示したように、上・下部羽根片２１、２１'が展開動作や折畳動作をする際、上・下部羽根片２１、２１'が上下方向に動くようになり、上・下部羽根片２１、２１'が良好に展開及び折畳動作ができるようにすることもできるものであり、本発明は必ずしも上記のようにのみ構成されるものではなく、他の構造や手段が採用されることもできるものである。
【００５１】
そして本発明のタービン１０は、図１１に示したように、下部羽根片２１'の移動部材２７が、羽根支持軸１４に差し込まれて設置される弾力部材１６によって、ストッパー１５方向に加圧されて移動できるようになされることもできる。この場合には、上・下部羽根片２１、２１'が折畳動作をした際、下部羽根片２１'の移動部材２７が、弾力部材１６の弾力によってストッパー１５方向に移動する状態となる。
【００５２】
一方、図１２は、本発明のタービン１０を利用した潮水力発電装置１００を示したものである。
【００５３】
本発明の潮水力発電装置１００は、一つ以上のタービン１０が一つのタービン軸１１に垂直方向に設置されるようにし、上記タービン軸１１が、浮具１１１の浮力によって水面Ｗａに浮上する浮遊部材１１０を貫通して支持部材１１２に固定される発電機１２０に回転力が伝達されるようにして電気エネルギーが生産されるようにするものである。
【００５４】
そして上記浮遊部材１１０は、海底面Ｗｂに固定される海底固定手段１３０と、ワイヤ１３１によって連結されるようにする。
【００５５】
上記海底固定手段１３０は、図１２に示したように、重量があるコンクリートブロックであることもできる。
【００５６】
しかし望ましい海底固定手段１３０は、図１３の（ａ）、（ｂ）に示したように、ワイヤ１３１が連結され拡開傾斜頭部１３３を有するボルト棒１３２と、上記拡開傾斜頭部１３３によって外側方向に開くために下端割れ孔１３５の間に備えられる多数の拡開片部１３６を備えボルト棒１３２が貫通するように結合される管体１３４、及び上記管体１３４上部でボルト棒１３２に差し込まれる座金部材１３７と、上記座金部材１３７上部でボルト棒１３２に締結されるナット部材１３８によってなされるようにしたものが望ましい。
【００５７】
図１３に示した海底固定手段１３０は、図１３の（ａ）で実線で示したように、ボルト棒１３２の拡開傾斜頭部１３３が管体１３４の下端部にある拡開片部１３６に引っ掛かるよう管体１３４の穴にボルト棒１３２が差し込まれて結合されるようにし、座金部材１３７を管体１３４上部側のボルト棒１３２に差し込んで結合して、ボルト棒１３２にナット部材１３８を締結して部品相互間に遊動がないように結合する。
【００５８】
次に、ボルト棒１３２を打撃して管体１３４とボルト棒１３２が共に海底面Ｗｂに打ち込まれるようにする。この際、座金部材１３７が海底面Ｗｂ上方に引っ掛かって、それ以上打ち込めないところまで打ち込んで海底面Ｗｂに固定させる。
【００５９】
次に、ナット部材１３８が海底面Ｗｂ方向に移動するように継続的に締めていくと、座金部材１３７が海底面Ｗｂ上に支持された状態でナット部材１３８が締められるので、ボルト棒１３２は、図１２（ａ）での仮想線図示のように、上部方向に強制的に上がることになる状態となる。
【００６０】
ゆえに、ボルト棒１３２の拡開傾斜頭部１３３が管体１３４の拡開片部１３６を、図１３の（ａ）での仮想線図示のように、外側に強制的に開くようにすることにより、上記のように開いた状態の拡開片部１３６が、海底固定手段１３０が海底面（Ｗａ）から抜けて離脱しないようにする役割を行うようにして固定されるのである。
【００６１】
そしてワイヤ１３１の長さは、本発明の潮水力発電装置１００が設置される海域で満ち潮の時に最も高い水位となる位置まで浮遊部材１１０が浮上することができる長さを有するようにして、浮遊部材１１０と海底固定手段１３０が連結されるようにするのである。
【００６２】
ゆえに、浮遊部材１１０は、満ち潮時には上昇する水面Ｗａにつれて上昇して浮上するもので、引潮時には下がる水面Ｗａを下がるようになるが、満ち潮時だけでなく引潮時にも浮遊部材１１０下部にあるタービン１０が水中に浸かっているので、満ち潮が入ってくるときだけでなく引潮が出ていくときにもタービン１０が回転して発電が可能になるのである。
【００６３】
そして本発明は、水量や流速が随時に変わる河川や川にも浮遊式で設置されて発電が可能である。
【００６４】
すなわち、本発明のタービン１０は、上・下部羽根片２１、２１'の前面部側で水を正面から受けて開きながら水流力を受けるので、流れる水の圧力（潮水力）を開いた状態の上・下部羽根片２１、２１'全体が水流力を受けるようになるものであるだけでなく、一つのタービン軸１１に多数のタービン１０が一列で設置されるようにすれば、多少流速が遅くても発電に必要とされる推進力を充分に得ることができるようになる。
【００６５】
特に、タービン軸１１の回転力が増速器（図示せず）を介して発電機１２０に伝達されるようにすれば、流速が多少遅くても発電に必要とされる推進力をさらに得ることができるので、多少流速が遅い河川や川、または満ち潮と引潮が周期的に潮流が流れる海上でも発電が可能となり、電気エネルギーを生産することができるようになるのである。
【００６６】
したがって、本発明は、潮流の流れる方向が変わってもタービン１０が一方方向にのみ回転するため、水の流れが停止しない限り持続的な発電が可能であるだけでなく、潮流や川の水位の高低が変わるようになっても、持続的な発電が可能になるものであり、それによって電気エネルギーを以前に比べて相対的に倍加するように生産することができるだけでなく、発電効率が大きく向上することができるようになるのである。
【００６７】
また、本発明は、流速が形成される場所に永久構造物を設置せず、発電施設等を水面上に浮上させた状態で発電が可能となるため、固定された発電用永久構造物を建築しなくてもよいため、親環境的で自然生態系の変化を与えずとも発電を可能なようにする。
【００６８】
そして、潮流が形成される所であればどんな場所でも本発明の潮水力発電装置を浮かべておいて電気エネルギーを生産することができるだけでなく、さらには潮水力発電装置の上部に風力発電装置やまたは太陽力発電装置を付加的にさらに設置して、さらに多くの電気エネルギーを得ることができるようにすることもできるものである。
【００６９】
本発明は、図面に示され説明された実施例に必ずしも限定されるものではなく、本発明が属する技術分野の通常の知識を有する者によって様々な形態に変形実施されることもできるものであるため、請求の範囲を大きく逸脱しない限り、幅広く保護されるべきことは自明なことである。
【符号の説明】
【００７０】
１０：タービン
１１；タービン軸
１２：中心部材
１３，１３'：水平支持部材
１４：羽根軸
１５：ストッパー
１６：弾力部材
２０：推進羽根手段
２１、２１'：上・下部羽根片
２２：中間ヒンジ部
２３，２３'：ヒンジ片
２３ａ：軸孔
２４：羽根広がり抑制片
２５：ヒンジ軸
２６：蝶番
２６'：スプリング鋼板材
２７：移動部材
２８：軸孔
２９：ボール
１００：潮水力発電装置
１１０：浮遊部材
１１１：浮具
１１２：支持部材
１２０：発電機
１３０：海底固定手段
１３１：ワイヤ
１３２：ボルト棒
１３３：拡開傾斜頭部
１３４：管体
１３５：下端割れ孔
１３６：拡開片部
１３７：座金部材
１３８：ナット部材
２１１：空間部
２１２，２１２'：固定部材
２１３：ヒンジ軸
２１４，２７１：ヒンジ軸孔
【図１】
2017509828.tif 000003
【図２】
2017509828.tif 000004
【図３】
2017509828.tif 000005
【図４】
2017509828.tif 000006
【図５（ａ）】
2017509828.tif 000007
【図５（ｂ）】
2017509828.tif 000008
【図６】
2017509828.tif 000009
【図７（ａ）】
2017509828.tif 000010
【図７（ｂ）】
2017509828.tif 000011
【図８】
2017509828.tif 000012
【図９（ａ）】
2017509828.tif 000013
【図９（ｂ）】
2017509828.tif 000014
【図１０（ａ）】
2017509828.tif 000015
【図１０（ｂ）】
2017509828.tif 000016
【図１１】
2017509828.tif 000017
【図１２】
2017509828.tif 000018
【図１３（ａ）】
2017509828.tif 000019
【図１３（ｂ）】
2017509828.tif 000020
【国際調査報告】
2017509828.tif 000021
2017509828.tif 000022
2017509828.tif 000023
2017509828.tif 000024